(57)【要約】【課題】客室を清潔に保つと共に、糠を回収し易くすることである。【解決手段】本発明は、客室・機械室・糠室に区画された建屋の客室から利用料金のコインと玄米が投入され、玄米を機械室内の精米装置で精米し、客室に精白米を返却すると共に、糠室内の糠回収装置に糠を回収する建屋式コイン精米機に関する。建屋は、屋外から糠室に出入りする出入り口と、出入り口を開閉する戸とを客室用とは別に備えるものである。糠回収装置は、精米装置で発生した糠を空気と分離する集塵装置と、集塵装置で分離した糠を搬送する糠搬送装置であって複数の排出口を備える糠搬送装置と、糠搬送装置の一つの排出口から排出される糠を貯留する糠タンクとを備えるものである。糠タンクは、糠を貯留する糠タンク本体と、糠タンク本体の排出口を開閉可能なシャッターとを備える。【選択図】      図１
2017192877.tif 000002
【特許請求の範囲】
【請求項１】
客室・機械室・糠室に区画された建屋の客室から利用料金のコインと玄米が投入され、玄米を機械室内の精米装置で精米し、客室に精白米を返却すると共に、糠室内の糠回収装置に糠を回収する建屋式コイン精米機であって、
建屋は、屋外から糠室に出入りする出入り口と、出入り口を開閉する戸とを客室用とは別に備え、
糠回収装置は、精米装置で発生した糠を空気と分離する集塵装置と、集塵装置で分離した糠を搬送する糠搬送装置であって複数の排出口を備える糠搬送装置と、糠搬送装置の一つの排出口から排出される糠を貯留する糠タンクとを備え、
糠タンクは、糠を貯留する糠タンク本体と、糠タンク本体の排出口を開閉可能なシャッターとを備えることを特徴とする建屋式コイン精米機。
【請求項２】
建屋は、平面視して客室・機械室・糠室の順で第一の直線方向に並んでおり、
糠室は、仕切板によって区画された客用糠室と管理者用糠室とを備え、
出入り口、客用糠室、管理者用糠室は、平面視して第一の直線方向に直交する第二の直線方向のうち一方向に順番に配置され、
集塵装置と糠搬送装置は、管理者用糠室に設置され、
糠タンク本体の下部およびシャッターは、客用糠室に設置されていることを特徴とする請求項１記載の建屋式コイン精米機。
【請求項３】
管理者用糠室は、その上部を、集塵装置と搬送装置とを収容する装置収容室とし、その下部を、糠を貯留する糠貯留室とし、
装置収容室は、糠貯留室の真上に位置する収容室本体部と、収容室本体部から糠貯留室よりも出入り口側に張り出す収容室張出部とを備え、
糠タンク本体の下部およびシャッターは、収容室張出部の下側に設置されていることを特徴とする請求項２記載の建屋式コイン精米機。
【請求項４】
仕切板は、客用糠室と装置収容室とを区画する上部仕切板と、客用糠室と糠貯留室とを区画する下部仕切板とを備え、
上部仕切板および下部仕切板は別々に着脱可能であることを特徴とする請求項２又は３記載の建屋式コイン精米機。
【請求項５】
糠搬送装置は、平面視して第二の直線方向に延長する糠搬送筒と、その内部に回転可能に支持されたスクリューとを備え、
糠搬送筒は、糠取入れ口と、第１、第２の排出口とを備え、
収容室本体部には、第２の排出口を配置し、
収容室張出部には下方に向かって順番に集塵装置の糠排出口、糠取入れ口、第１の排出口を配置し、
第１の排出口の下に糠タンク本体の入口を配置してあることを特徴とする請求項３又は４に記載の建屋式コイン精米機。
【発明の詳細な説明】
【技術分野】
【０００１】
本発明は、建屋式コイン精米機で発生する糠を回収する部分に関する。
【背景技術】
【０００２】
建屋式コイン精米機は、建屋内に利用客が玄米を持ち込んで所定の利用料金としてのコインを投入すると、玄米が精米され、精白米となって返却されるようになっている。当然のことではあるが、玄米を精米すると、糠が発生する。そのため利用客の中には、この糠を精白米と一緒に持ち帰りたいと考える人がいる。
【０００３】
このような人の要望に応えるために、建屋式コイン精米機の中には、糠を自由に持ち帰っても良いようにしていることがある。
具体的に言えば建屋式コイン精米機の一例として、客室・機械室・糠室に区画された建屋内の糠室に糠を回収する集塵装置が設置されているものが存在する（特許文献１）。この建屋は、屋外から糠室に出入りする出入り口と、出入り口を開閉する戸とを客室用とは別に備えており、戸に施錠がされていない場合、利用客は必要があれば糠室に入って、糠を持ち帰っている。
【０００４】
また特許文献２には建屋式コイン精米機の他の例として、客室と機械室に仕切られた建屋内の客室に、精白米と糠を別々に排出するものが開示されている。
【先行技術文献】
【特許文献】
【０００５】
【特許文献１】特開２０１３−１７９４９号公報
【特許文献２】特開平９−１６８７４６号公報
【発明の概要】
【発明が解決しようとする課題】
【０００６】
特許文献１の例は、集塵装置としてのサイクロンで回収した糠を、どのようにして貯留するのか詳細な記述がないが、たとえば糠を糠室にそのまま排出して貯留するものも現実には存在する。この場合、利用客は、糠をシャベルのようなもので掬って、袋などに回収しなければならず、糠を回収し難いものである。
【０００７】
特許文献２の例は、客室に糠を排出するものなので、糠によって客室が汚れ、利用客が精米機の使用を敬遠する原因になる。
【０００８】
本発明は上記実情を考慮して創作されたもので、その目的は客室を清潔に保つと共に、糠を回収し易くすることである。
【課題を解決するための手段】
【０００９】
本発明の建屋式コイン精米機は、客室・機械室・糠室に区画された建屋の客室から利用料金のコインと玄米が投入され、玄米を機械室内の精米装置で精米し、客室に精白米を返却すると共に、糠室内の糠回収装置に糠を回収する建屋式コイン精米機を前提とする。建屋は、屋外から糠室に出入りする出入り口と、出入り口を開閉する戸とを客室用とは別に備えるものである。また糠回収装置は、精米装置で発生した糠を空気と分離する集塵装置と、集塵装置で分離した糠を搬送する糠搬送装置であって複数の排出口を備える糠搬送装置と、糠搬送装置の一つの排出口から排出される糠を貯留する糠タンクとを備えるものである。そして糠タンクは、糠を貯留する糠タンク本体と、糠タンク本体の排出口を開閉可能なシャッターとを備えるものである。
【００１０】
また糠室や糠回収装置は、次のようにすれば、利用客が気持ちよく糠を回収できるようになる。
すなわち、本発明の第２の手段では、建屋は平面視して客室・機械室・糠室の順で第一の直線方向に並んでおり、糠室は仕切板によって区画された客用糠室と管理者用糠室とを備えるものとする。そして出入り口、客用糠室、管理者用糠室は、平面視して第一の直線方向に直交する第二の直線方向のうち一方向に順番に配置されるものとする。しかも集塵装置と糠搬送装置は、管理者用糠室に設置されるものとする。そして糠タンク本体の下部およびシャッターは、客用糠室に設置されるものとする。
【００１１】
管理者用糠室と装置収容室の詳細は問わないが、客用糠室をできるだけ広くし、シャッターを操作し易くするには、次のようにすることが望ましい。
すなわち、本発明の第３の手段では、管理者用糠室は、その上部を、集塵装置と搬送装置とを収容する装置収容室とし、その下部を、糠を貯留する糠貯留室とする。そして装置収容室は、糠貯留室の真上に位置する収容室本体部と、収容室本体部から糠貯留室よりも出入り口側に張り出す収容室張出部とを備えるものとする。そのうえで糠タンク本体の下部およびシャッターは、収容室張出部の下側に配置されるようにすることである。
【００１２】
また客用糠室と装置収容室を区画する仕切板の詳細は、問わないが、管理者が糠を回収し易くするには、次のようにすることが望ましい。
すなわち、本発明の第４の手段では、仕切板は、客用糠室と装置収容室とを区画する上部仕切板と、客用糠室と糠貯留室とを区画する下部仕切板とを備え、上部仕切板および下部仕切板は別々に着脱可能にすることである。
【００１３】
また糠搬送装置と糠タンク等の配置は問わないが、搬送装置の制御をできるだけ単純にしながら、玄米を精米した利用客が糠を回収できるようにするには、次のようにすることが望ましい。
すなわち本発明の第５の手段では、糠搬送装置は、平面視して第二の直線方向に延長する糠搬送筒と、その内部に回転可能に支持されたスクリューとを備えるものとする。そして糠搬送筒は、糠取入れ口と、第１、第２の排出口とを備えるものとする。そのうえで収容室本体部には第２の排出口を配置し、収容室張出部には下方に向かって順番に集塵装置の糠排出口、糠取入れ口、第１の排出口を配置し、第１の排出口の下に糠タンク本体の入口を配置することである。
【発明の効果】
【００１４】
本発明のコイン精米機によれば、糠室に糠タンクが設置されているので、たとえば客室に糠タンクが設置されているものに比べれば、客室を清潔に保つことができ、しかも糠タンクが糠タンク本体とシャッターを備えるものなので、シャッターの開閉操作だけで糠タンク本体に貯留された糠を回収できる。
【００１５】
また本発明の第２の手段によれば、糠室を客用糠室、管理者用糠室に区画し、管理者用糠室には集塵装置と糠搬送装置を設置し、客用糠室には糠タンク本体の下部およびシャッターを設置してあるので、たとえば区画のない糠室のものに比べれば、客用糠室を清潔に保つことができ、利用客が気持ち良く糠を回収できる。
【００１６】
また本発明の第３の手段によれば、管理者用糠室のうち上部を集塵装置と糠搬送装置とを収容する装置収容室とし、その下部を、糠を貯留する糠貯留室としたうえで、装置収容室を、糠貯留室の真上に位置する収容室本体部と、収容室本体部から糠貯留室よりも出入り口側に張り出す収容室張出部とを備えるものとしたので、たとえば客用糠室と管理者用糠室を区画する仕切板を上下一直線に揃える（糠貯留室の真上に装置収容室の全部が位置する）ものに比べれば、収容室張出部の下側を客用糠室として利用しているので、客用糠室が広くなり、シャッターの開閉操作がし易いものである。
【００１７】
また本発明の第４の手段によれば、上部仕切板および下部仕切板を別々に着脱可能にしてあるので、下部仕切板だけを外せば、糠を回収できるので、管理者が糠を回収し易くなる。
【００１８】
また本発明のうち第５の手段によれば、下方に向かって順番に集塵装置の糠排出口、糠搬送筒の糠取入れ口、第１の排出口、糠タンク本体の入口を配置してあるので、集塵装置から排出された糠はまず糠タンク本体に貯留され、糠タンク本体が満杯になれば、次に糠貯留室に貯留されるようになる。また自分の前の利用客が糠タンク本体の糠を全部回収した場合であっても、利用客は新たに精米すれば、自分が精米したときに発生した糠を回収できる。
【図面の簡単な説明】
【００１９】
【図１】建屋内を上方から見た状態を示す断面図である。
【図２】コイン精米機の精米処理の流れを示す説明図である。
【図３】建屋の糠室内を側方から視た状態を示す断面図である。
【図４】図３の一部を拡大した断面図である。
【図５】糠室内を前方から視た状態を示す断面図であり、上部仕切板を外してある。
【図６】糠室の下部を仕切る下部仕切板に固定された錠前を示す図面である。
【図７】錠前の構造を示す断面図である。
【発明を実施するための形態】
【００２０】
本発明の第一実施形態の建屋式コイン精米機の概要は図１、２に示すように、建屋１と、建屋１内に設置されたコイン精米機５０とを備える。
【００２１】
建屋１は図１〜３に示すように、床２と、床２の外周縁部から起立する外壁４と、外壁４の上端を塞ぐ天井３とを備える。この例では天井３は屋根を兼用している。また建屋１は、平面視して矩形であり、それゆえ、矩形の内部空間を備える。この内部空間を平行な３つの矩形の小さな空間（客室２１・機械室２２・糠室２３）に仕切るために建屋１は、床２・外壁４・天井３の他に、床２と天井３の間を塞ぐ２つの仕切壁１１，１２を備える。客室２１と機械室２２を仕切る仕切壁１１は、第１の仕切壁１１と称し、機械室２２と糠室２３を仕切る仕切壁１２は、第２の仕切壁１２と称する。また平面視して客室２１・機械室２２・糠室２３は、この順番で前から後に向かって、つまり後方向に並んでいる。この後方向を第一の直線方向とも言う。また左右方向は、平面視して、第一の直線方向に直交する方向であり、第二の直線方向とも言う。なお図２では、コイン精米機５０での精米処理の手順を明確に示すために、第１の仕切壁１１を図２に左右に分けて２つ示し、図２の右端部の上部に糠を回収する糠回収装置５８を示してある。
【００２２】
外壁４は、床２に固定された前壁５・後壁６・左壁７・右壁８と、これら壁の何れかに形成されると共に各室２１〜２３に別々に出入りする出入り口２１ａ，２２ａ，２３ａと、各出入り口を開閉可能な戸２１ｄ，２２ｄ，２３ｄとを備える。
客室２１の出入り口２１ａは建屋１の前面を囲う前壁５に形成され、機械室２２および糠室２３の出入り口２２ａ，２３ａは、左面または右面を囲う左壁７または右壁８に形成されている。糠室２３の出入り口２３ａから糠室２３の奥に向かう方向は、図示の例では右方向であり、第二の直線方向のうち一方向である。
【００２３】
コイン精米機５０は図２に示すように、玄米を投入する投入口ホッパ５１、投入口ホッパ５１内の玄米を一番昇降装置５３に取り込む玄米取込み装置５２、玄米取込み装置５２から排出された玄米を上昇させる一番昇降装置５３、一番昇降装置５３から排出された玄米に含まれる石を抜く石抜き装置５４、石抜き装置５４から排出された玄米を上昇させる二番昇降装置５５、二番昇降装置５５から排出された玄米を精米する精米装置５６、精米装置５６から排出された精白米を貯留する白米タンク５７、精米装置５６で発生した糠を回収する糠回収装置５８、並びに前記したこれら装置の動作を制御すると共にコインが投入される操作盤５９を備える。
【００２４】
投入口ホッパ５１、白米タンク５７、各種の装置は、以下のように設置される。
投入口ホッパ５１、玄米取込み装置５２、一番昇降装置５３、石抜き装置５４、二番昇降装置５５、精米装置５６、操作盤５９は、機械室２２に設置される。これらの中で操作盤５９は、客室２１から操作できるように客室２１に向けて設置されると共に、投入口ホッパ５１も客室２１から玄米を投入できるように機械室２２のうち客室２１の近傍に設置される。また白米タンク５７は客室２１に設置され、糠回収装置５８は糠室２３に設置される。
【００２５】
操作盤５９は、操作パネル５９ａと、操作パネル５９ａの操作に基づいて各種装置を制御する制御装置（図示略）とを備える。操作パネル５９ａは、コインの投入口や精白度合いを選択する複数の白度ボタン（符号略）を備えるものである。また操作盤５９は、客室２１と機械室２２にまたがるように設置してあるので、第１の仕切壁１１の一部とも言える。
【００２６】
投入口ホッパ５１は、下方に向けて内径及び外径が小さくなる漏斗形状のホッパ本体５１ａ、ホッパ本体５１ａに投入された玄米を検知するためにホッパ本体５１ａの下部に固定された玄米センサ５１ｂを備えている。投入口ホッパ５１の上方には、客室２１側から玄米を投入できるように第１の仕切壁１１の高さの中間部に開口部１１ａが形成されており、開口部１１ａには自動的に開閉する投入口扉１６が設置されている。また開口部１１ａの下側において第１の仕切壁１１から玄米載せ台１７が客室２１側に張り出すように形成されている。そしてホッパ本体５１ａの下方には玄米取込み装置５２が設けられている。
操作パネル５９ａにコインが投入されると、操作盤５９は投入口扉１６を開くように駆動させ、玄米センサ５１ｂが玄米を検知すると、その検知信号を受けて操作盤５９は、白度ボタンが押された場合または所定の時間経過後に、玄米取込み装置５２、一番昇降装置５３、石抜き装置５４、二番昇降装置５５を駆動させる。一方、玄米が無くなると、玄米センサ５１ｂからの玄米無し信号を受けて操作盤５９は、設定期間経過後に玄米取込み装置５２、一番昇降装置５３、石抜き装置５４を順次停止させる。
【００２７】
玄米取込み装置５２は、この例ではロータリバルブであり、ホッパ本体５１ａに対して互いの内部空間が通じるケーシング５２ａと、ケーシング５２ａ内に回転可能に支持されたロータ５２ｂと、ロータ５２ｂを一方向に回転させる図示しないモータを備えるものである。ロータ５２ｂは、回転軸を中心にして複数枚の羽根が放射状に突出するもので、隣り合う二枚の羽根で区画された領域に玄米が収容される。そしてロータ５２ｂが回転すると、ホッパ本体５１ａ内から玄米が取り込まれ、一番昇降装置５３の下部の受入口５３ａに送り込まれる。
【００２８】
一番昇降装置５３は、玄米を上昇させるもので、バケットコンベヤからなる昇降装置が用いられる。バケットコンベヤの駆動によって、下部の受入口５３ａに投入された玄米をバケットで上方に搬送し、上部の吐出し口５３ｂから石抜き装置５４の石抜きホッパ５４ａに排出する。
【００２９】
石抜き装置５４は、石抜きホッパ５４ａ、石抜きホッパ５４ａの下方において玄米と石を選別するために傾斜する状態で揺動可能に支持された選別板５４ｂ、選別板５４ｂの下方に配置されたファン５４ｃを主として備える。そして選別板５４ｂは多数の小孔が形成されており、選別板５４ｂの揺動運動とファン５４ｃから小孔を通過する風を利用した比重選別によって、選別板５４ｂ上の玄米の中から石を選別して廃棄し、玄米のみを二番昇降装置５５の下部の受入口５５ａに投入する。
【００３０】
二番昇降装置５５は、一番昇降装置５３と同様の構造であって、バケットコンベヤの駆動によって、玄米を高い位置まで上昇させてから、上部の吐出し口５５ｂから精米装置５６の精米ホッパ５６ａに供給する。
【００３１】
精米装置５６は、精米ホッパ５６ａの上部にはオーバーフローセンサ５６ｂを、下部には玄米センサ５６ｃを備える。玄米センサ５６ｃが玄米を検知すると、その検知信号を受けて操作盤５９が精米装置５６を駆動させる。また、オーバーフローセンサ５６ｂが玄米を検知すると、その検知信号を受けて操作盤５９が現在駆動している装置、例えば玄米取込み装置５２を停止させ、オーバーフローセンサ５６ｂが玄米を検出しなくなると、そのオーバーフロー無し信号を受けて操作盤５９が停止させた玄米取込装置５２を再度駆動させる。また、玄米がなくなると、玄米センサ５６ｃからの玄米無し信号を受けて操作盤５９は、設定期間経過後に精米装置５６を停止させる。
【００３２】
また精米装置５６は、前記した精米ホッパ５６ａの他に、精米ホッパ５６ａの下方に接続された筒形の精白室５６ｄ、精白室５６ｄの内部に回転可能に支持された図示しない精白ロール、精白室５６ｄの下方に接続されると共に糠回収装置５８へ向かう糠ダクト５６ｅ、糠ダクト５６ｅの途中において糠を吸引するために配置された除糠ファン５６ｆを備える。玄米が供給された精白室５６ｄ内では精白ロールが回転しており、摩擦抵抗によって玄米の表面が擦られて精白米となり、精白米が精白室５６ｄから排出されて白米タンク５７に向かう。いっぽう糠ダクト５６ｅの途中では除糠ファン５６ｆが回転しており、擦り取られた糠が除糠ファン５６ｆによって吸引され、糠ダクト５６ｅを経て糠回収装置５８に向かう。
【００３３】
糠回収装置５８は、精米装置５６で発生した糠を空気と分離する集塵装置６０と、集塵装置６０で分離した糠を搬送する糠搬送装置７０であって第１、第２、第３の排出口７１ｂ，７１ｃ，７１ｄを備える糠搬送装置７０と、糠搬送装置７０の第１の排出口７１ｂから排出される糠を貯留する糠タンク８０とを備える。
【００３４】
また糠回収装置５８を設置する糠室２３は図３に示すように、周りを後壁６と左壁７と右壁８と第２の仕切壁１２との間に囲まれ、上下を天井３と床２とで囲まれた空間部である。糠室２３は、仕切板１３によって左右方向に区画された客用糠室２４と管理者用糠室２５とを備える。そして客用糠室２４、管理者用糠室２５は、この順番通りに糠室２３用の出入り口２３ａに対して右方向に配置される。また客用糠室２４の奥行は、その上部よりもその下部の方が広いもので、その反対に管理者用糠室２５の奥行は、その上部よりもその下部の方が狭いものである。管理者用糠室２５は、その上部を、集塵装置６０と糠搬送装置７０とを収容する装置収容室２６とし、その下部を、糠を貯留する糠貯留室２９とする。また装置収容室２６は、糠貯留室２９の真上に位置する収容室本体部２７と、収容室本体部２７から糠貯留室２９よりも出入り口２３ａ側に張り出す収容室張出部２８とを備え、収容室張出部２８の下側、つまり客用糠室２４に糠タンク８０を設置してある。なお図５に示すように装置収容室２６の一部を形成する後壁６には、屋外に通じる排気口６ａが形成されると共に、排気口６ａを覆うと共に下向きに開口する排気フード６ｂが取り付けられている。
【００３５】
仕切板１３は図３に示すように、装置収容室２６と客用糠室２４とを左右方向に区画する上部仕切板１４と、糠貯留室２９と客用糠室２４とを左右方向に区画する下部仕切板１５とを備える。
【００３６】
糠室２３の下部は図３〜図５に示すように、前後に対向する状態で設置される一対の下部ガイドレール４１，４１と、一対の下部ガイドレール４１，４１に対して着脱可能な下部仕切板１５（図示の例では３枚の下部仕切板１５）とによって、左右に区画される。このように区画された糠室２３の下部のうち左側の部分（出入り口２３ａ側の部分）は、客用糠室２４の下部であり、糠室２３の下部のうち右側の部分は、管理者用糠室２５の下部、つまり糠貯留室２９である。
【００３７】
一対の下部ガイドレール４１，４１は図３〜５、７に示すように、上下方向に延長するもので、後壁６と第２の仕切壁１２に対して、左右方向の所定の対向位置に固定される。また一対の下部ガイドレール４１，４１は、各下部ガイドレール４１の前後方向の対向面には上下方向に延長する溝部４１ａが形成されている。一対の溝部４１ａは、前後方向に対向するように開口すると共に、上方向にも開口している。また一対の下部ガイドレール４１，４１は、平面視してコ字状に屈曲した３枚のレール板４２よりそれぞれ形成され、出入り口２３ａ側の面である各々の左面を形成するレール板４２の同じ高さ箇所には、下部仕切板１５を出し入れする切欠き口４１ｂが形成されている。一対の切欠き口４１ｂ，４１ｂは、前後方向に対向すると共に溝部４１ａに通じるものである。
【００３８】
下部仕切板１５は、矩形状の板で、その板厚を下部ガイドレール４１の溝部４１ａの幅（左右方向の寸法）よりも僅かに短くしたもので、その全高（縦幅）を、下部ガイドレール４１の約１／３の長さにし、その横幅を一対の切欠き口４１ｂ，４１ｂの間隔よりも僅かに短い長さに設定してある。
３枚の下部仕切板１５を取り付ける場合、下部仕切板１５をほぼ鉛直状態にし、一対の切欠き口４１ｂ，４１ｂから下部仕切板１５をその上端から持ち上げるようにして一対の溝部４１ａ，４１ａに差し込んで、そのまま床２側に落す作業を繰り返すと、一対の溝部４１ａ，４１ａに３枚の下部仕切板１５が順番に積重ねられる。
【００３９】
また一番上の下部仕切板１５は図６、７に示すように、一方（図での左側）の下部ガイドレール４１と関わり合うことによって、施錠可能なものである。そして下部仕切板１５には錠前９０が固定されると共に、左側の下部ガイドレール４１には錠前９０の施錠状態を保持する止め穴４１ｈが形成される。
【００４０】
錠前９０は、下部仕切板１５をその厚み方向に貫通するシリンダー９１と、シリンダー９１の一端部から鍔状に突出すると共にシリンダー９１を下部仕切板１５に固定する固定板９２と、シリンダー９１の他端部に固定される止め爪９３とを備える。
止め爪９３は、細長い板であり、シリンダー９１の延長方向に対して直交する方向に延長するように固定されている。
【００４１】
また左側の下部ガイドレール４１には他方の下部ガイドレール４１への対向面において、溝部４１ａよりも糠貯留室２９側に、止め爪９３を出し入れ可能な止め穴４１ｈが窪んで形成されている。
【００４２】
そしてシリンダー９１に図示しない鍵を差し込んで一方向に回すことにより、止め爪９３が水平状態になり、このとき止め爪９３の先部が止め穴４１ｈに収容されると共に、錠前９０が施錠される。この場合、下部仕切板１５を持ち上げようとすると、止め穴４１ｈの下面に止め爪９３が衝突することから、下部仕切板１５を一対の下部ガイドレール４１，４１から外すことはできない。
また鍵を反対方向に回すことにより、止め爪９３が垂直状態になると、止め爪９３が止め穴４１ｈから出て、錠前９０が解錠される。この場合、下部仕切板１５を持ち上げれば、止め穴４１ｈに止め爪９３が衝突しないので、下部仕切板１５を一対の下部ガイドレール４１，４１から外すことができる。
【００４３】
また糠室２３の下部には図３〜５に示すように集塵装置６０、糠搬送装置７０を支持するフレーム３０が床２の上に設置される。フレーム３０は、縦横に組んだもので、一対の下部ガイドレール４１，４１を兼用するほかに、上下方向に延長する一対の縦材３１，３１と、左右方向に延長する一対の支え材３２，３２とを備える。
【００４４】
一対の縦材３１，３１は、前後の一対の下部ガイドレール４１，４１に対して右方向に対向するもので、右壁８の前後端部に床２から起立する状態で固定される。
【００４５】
支え材３２は、左右に対向する下部ガイドレール４１と下部ガイドレール４１に対して縦材３１の上端に架け渡すと共に後壁６または第２の仕切壁１２に固定される。なお支え材３２は、下部ガイドレール４１の溝部４１ａよりも前後方向外側に配置され、下部仕切板１５を一対のガイドレールに出し入れするときに、下部仕切板１５が衝突しないようにしてある。
【００４６】
糠室２３の上部は、前後に延長すると共に上下に対向して設置される一対の上部ガイドレール４５，４５と、一対の上部ガイドレール４５，４５に対してけんどん式に嵌め込む上部仕切板１４とによって、左右に区画される。一対の上部ガイドレール４５，４５は、一対の下部ガイドレール４１，４１よりも糠室２３用の出入り口２３ａ側（左側）に配置される。また上側の上部ガイドレール４５は天井３に固定され、下側の上部ガイドレール４５は一対の支え材３２，３２の先端部に架け渡す状態で固定される。
【００４７】
一対の上部ガイドレール４５，４５は、その対向面に溝部４５ａを上下に対向して備える。また一対の上部ガイドレール４５，４５は、前後方向から視て、コ字状に屈曲した３枚のレール板４６よりそれぞれ形成され、３枚のレール板４６で三方を囲む部分が溝部４５ａである。
【００４８】
上部仕切板１４は、その全高を一対の溝部４５ａ，４５ａにけんどん式で着脱できるような寸法にしてある。つまり上部仕切板１４の上端部を上側の上部ガイドレール４５の溝部４５ａに深く挿入すると、上部仕切板１４の下端は下側の上部ガイドレール４５の溝部４５ａよりも上側に配置されるように、上部仕切板１４の全高を設定してある。ちなみに下側の上部ガイドレール４５は、図示の例では、出入り口２３ａ側のレール板４６を奥側のレール板４６よりも低く形成してあり、上部仕切板１４を着脱しやすいようにしてある。また上部仕切板１４は、その横幅を一対の溝部４５ａ，４５ａの全長よりも僅かに短くしてある。なお上部仕切板１４の出入り口２３ａ側の面には持手１４ａが突出する状態で固定されている。
【００４９】
集塵装置６０は図４，５に示すように、遠心力式集塵装置の代表例であるサイクロンである。サイクロンは、上面が塞がれると共に下方に向かって内径が小さくなる円錐状のケースからなるサイクロン壁６１と、サイクロン壁６１の上面から内部に突入する筒状の空気出口部６２を備える。サイクロン壁６１は、その側面の上部には入口部（図示略）を備え、入口部は、除糠ファン５６ｆ側から延長する糠ダクト５６ｅに接続されている。またサイクロン壁６１は、その下端には下向きに開口する糠用出口部６３を備える。
【００５０】
糠搬送装置７０は図３〜５に示すように、スクリューコンベヤであり、糠搬送筒７１（トラフ）と、糠搬送筒７１の内部に回転可能に支持されたスクリュー７２と、糠搬送筒７１内でスクリュー７２の両端部を回転可能に支持する環状の軸受部７３と、軸受部７３の外周面と糠搬送筒７１の内周面の間を塞ぐパッキン部材７４と、スクリュー７２を回転するモータ７５を備える。ちなみにスクリュー７２は、軸７２ａと、軸７２ａの回りに固定された螺旋状の羽根７２ｂとを備える。また糠搬送装置７０は、糠搬送筒７１をフレーム３０の一対の支え材３２，３２に取り付けるもので、そのために一対の取付材３３，３３が一対の支え材３２，３２に対して前後に架け渡す状態で左右に間隔をあけて固定される。
【００５１】
糠搬送筒７１は、円筒状であり、平面視して左右方向に延長するように固定されるもので、図では前後方向から視て水平に固定されている。また糠搬送筒７１は、上面には内部に向かって上下方向に貫通する糠取入れ口７１ａを備えると共に、その下面には内部に向かって上下方向に貫通する第１、第２、第３の排出口７１ｂ，７１ｃ，７１ｄを左右方向に間隔をあけて備える。糠取入れ口７１ａと第１の排出口７１ｂは、上下に対向するもので、糠搬送筒７１の左側の端部（糠室２３用の出入り口２３ａ側の端部）に形成されている。また糠取入れ口７１ａはサイクロンの糠用出口部６３の真下に配置され、糠取入れ口７１ａと糠用出口部６３とは管部７６で接続される。また第１の排出口７１ｂの真下には糠タンク８０の糠タンク本体８１の入口８１ａが配置され、第１の排出口７１ｂと糠タンク本体８１の入口８１ａとは管部７７で接続される。ちなみに図４の例では、第１の排出口７１ｂと糠タンク本体８１の入口８１ａとを接続する管部７７は、単なる筒ではなく、複雑な形をしている。
【００５２】
なお糠搬送装置７０のモータ７５は、糠を糠貯留室２９の下部仕切板１５側（出入り口２３ａ側）から奥側に送るように一方向に回転させるように制御されるもので、糠取入れ口７１ａから落下する糠は、糠タンク本体８１が空の場合、そのまま第１の排出口７１ｂから糠タンク本体８１内に落下する。また糠タンク本体８１が満杯になれば、糠は、第１の排出口７１ｂから落下できなくなり、第２の排出口７１ｃから落下する。そして第２の排出口７１ｃが糠貯留室２９に溜まった糠で塞がれると、第３の排出口７１ｄから糠が排出される。
【００５３】
糠タンク８０は図４に示すように、糠タンク本体８１と、糠タンク本体８１の糠排出口８１ｂを開閉可能なシャッター８２と、シャッター８２をスライド式に開閉可能に案内する案内部８３と、シャッター８２を常時閉鎖状態に保持する弾性部材８４とを備える。
【００５４】
糠タンク本体８１は、上下方向に貫通する筒状で、下方に向かって内径が狭くなっている。糠タンク本体８１はその下端よりも上側には、糠室２３への出入り方向である左右方向に貫通するスリット８１ｓが、前後方向に延長する状態で形成される。また糠タンク本体８１の内部空間のうちスリット８１ｓの位置が糠排出口８１ｂとなる。糠排出口８１ｂが閉鎖された状態の糠タンク本体８１の容量は、糠の収容量が２ｋｇ〜５ｋｇとなる範囲内に設定する。ちなみに２ｋｇとは、玄米２０ｋｇを標準的な白度で精米した場合に発生する糠の重量であり、１回の利用客が持ち込む玄米の平均的な重量に合わせてある。そして５ｋｇとは、この２ｋｇの2.5 倍の値である。なお糠タンク本体８１の外面のうち前後方向の面にはフック８６が固定されており、一対のフック８６，８６に袋を引掛けて、袋の口部で糠タンク本体８１の下端部を覆うようにして、糠を回収し易くしてある。
【００５５】
案内部８３は、スリット８１ｓの上下において糠タンク本体８１の外面から左方向と右方向に別々に突出するガイド板８３ａを備える。また上下に対向する二枚のガイド板８３ａ，８３ａは一組のガイドセット（符号略）を構成する。それゆえ案内部８３は、二組のガイドセットを左右に間隔をあけて配置したものである。
【００５６】
シャッター８２は、二組のガイドセットに対して左右方向に移動可能に案内される平板状のシャッター本体８２ａと、シャッター本体８２ａを操作する持手８２ｂと、シャッター本体８２ａと持手８２ｂを連結する連結部８２ｃとを備える。
連結部８２ｃは、シャッター本体８２ａの出入り口２３ａ側の端部から下方に折れ曲がる形で下向きに延長する連結板８２ｄと、連結板８２ｄの下端からシャッター本体８２ａに対してその下方において対向する形で水平に延長する折返し板８２ｅとを備える。この連結板８２ｄの出入り口２３ａ側の面に持手８２ｂが固定される。
【００５７】
弾性部材８４は、引張りコイルバネであって、シャッター本体８２ａに対して平行な状態でその下方に配置される。また引張コイルバネ８４を固定するために、連結板８２ｄとタンク本体の左右方向の対向面には、止具８５がそれぞれ固定されている。そして止具８５の抜穴（符号略）に引張コイルバネ８４の両端部のフック（符号略）を通して、引張コイルバネ８４を縮んだ状態に保持し、引張コイルバネ８４の復元力によってシャッター本体８２ａが糠排出口８１ｂを常時閉鎖状態に保持するようにしてある。なお復元力に逆らって持手８２ｂを引っ張ると、引張コイルバネ８４が伸びて、シャッター本体８２ａが移動し、それに伴って糠排出口８１ｂが開き、糠が落下する状態になる。
【００５８】
上記した建屋式コイン精米機の第一実施形態は、以下の効果を有する。糠室２３に糠タンク８０が設置されおり、客室２１には糠が排出されないので、たとえば客室に糠タンクが設置されているものに比べれば、客室２１を清潔に保つことができる。また糠タンク８０が糠タンク本体８１とシャッター８２を備えるものなので、シャッター８２の開閉操作だけで糠タンク本体８１に貯留された糠を回収できる。しかもシャッター８２は弾性部材８４の復元力によって糠タンク本体８１の糠排出口８１ｂを常時閉状態に保持するものなので、シャッター８２を操作して糠排出口８１ｂを開いた場合、シャッター８２を離せば、弾性部材８４の復元力によって糠排出口８１ｂが自然と閉まる。
【００５９】
また糠室２３を客用糠室２４、管理者用糠室２５の二室に区画し、管理者用糠室２５には集塵装置６０と糠搬送装置７０を設置し、客用糠室２４には糠タンク本体８１およびシャッター８２を設置してあるので、たとえば区画のない一室の糠室のものに比べれば、客用糠室２４を清潔に保つことができ、利用客が気持ち良く糠を回収できる
【００６０】
また管理者用糠室２５のうち上部を装置収容室２６とし、その下部を糠貯留室２９としたうえで、装置収容室２６の収容室張出部２８を糠貯留室２９よりも出入り口２３ａ側に張り出すようにしてあるので、収容室張出部２８の下側を客用糠室２４として利用することができ、その客用糠室２５に糠タンク本体８１を設置してあるので、たとえば客用糠室２４と管理者用糠室２５を区画する仕切板を上下一直線に揃える（糠貯留室の真上に装置収容室の全部が位置する）と共に糠タンクを客用糠室に設置するものに比べれば、客用糠室２４が広くなり、シャッター８２の開閉操作がし易いものである。
【００６１】
また上部仕切板１４および下部仕切板１５を別々に着脱可能にしてあるので、下部仕切板１５だけを外せば、糠を回収できるので、管理者が糠を回収し易くなる。しかも下部仕切板１５に錠前９０が付いているので、管理者以外は下部仕切板１５を外すこともできない。
【００６２】
また糠が出入り口２３ａから糠貯留室２９に向かうように糠搬送装置７０のスクリュー７２の回転方向を一方向に制御するだけで、糠はまず糠タンク本体８１に貯留され、次に糠貯留室２９に貯留されるようになる。また自分の前の利用客が糠タンク本体８１の糠を全部回収した場合であっても、利用客は新たに精米すれば、自分が精米したときに発生した糠を回収できる。
【００６３】
本発明は上記実施形態に限定されるものではなく、その趣旨を逸脱しない範囲において適宜変更可能である。たとえば上記実施形態では、糠タンク本体８１の全部が客室用糠室２４に設置されていたが、これに限らず本発明では、糠タンク本体の下部およびシャッターのみが客用糠室に設置され、糠タンクの上部が管理者用糠室（収容室張出部）に設置されていても良い。
【符号の説明】
【００６４】
１  建屋
２  床
３  天井
４  外壁
５  前壁
６  後壁
６ａ  排気口
６ｂ  排気フード
７  左壁
８  右壁
１１  第１の仕切壁
１１ａ  開口部
１２  第２の仕切壁
１３  仕切板
１４  上部仕切板
１４ａ  持手
１５  下部仕切板
１６  投入口扉
１７  玄米載せ台
２１  客室
２１ａ  出入り口
２１ｄ  戸
２２  機械室
２２ａ  出入り口
２２ｄ  戸
２３  糠室
２３ａ  出入り口
２３ｄ  戸
２４  客用糠室
２５  管理者用糠室
２６  装置収容室
２７  収容室本体部
２８  収容室張出部
２９  糠貯留室
３０  フレーム
３１  縦材
３２  支え材
３３  取付材
４１  下部ガイドレール
４１ａ  溝部
４１ｂ  切欠き口
４１ｈ  止め穴
４２  レール板
４５  上部ガイドレール
４５ａ  溝部
４６  レール板
５０  コイン精米機
５１  投入口ホッパ
５１ａ  ホッパ本体
５１ｂ  玄米センサ
５２  玄米取込み装置
５２ａ  ケーシング
５２ｂ  ロータ
５３  一番昇降装置
５３ａ  受入口
５３ｂ  吐出し口
５４  石抜き装置
５４ａ  石抜きホッパ
５４ｂ  選別板
５４ｃ  ファン
５５  二番昇降装置
５５ａ  受入口
５５ｂ  吐出し口
５６  精米装置
５６ａ  精米ホッパ
５６ｂ  オーバーフローセンサ
５６ｃ  玄米センサ
５６ｄ  精白室
５６ｅ  糠ダクト
５６ｆ  除糠ファン
５７  白米タンク
５８  糠回収装置
５９  操作盤
５９ａ  操作パネル
６０  集塵装置
６１  サイクロン壁
６２  空気出口部
６３  糠用出口部
７０  糠搬送装置
７１  糠搬送筒
７１ａ  糠取入れ口
７１ｂ  第１の排出口
７１ｃ  第２の排出口
７１ｄ  第３の排出口
７２  スクリュー
７２ａ  軸
７２ｂ  羽根
７３  軸受部
７４  パッキン部材
７５  モータ
７６  管部
７７  管部
８０  糠タンク
８１  糠タンク本体
８１ａ  入口
８１ｂ  糠排出口
８１ｓ  スリット
８２  シャッター
８２ａ  シャッター本体
８２ｂ  持手
８２ｃ  連結部
８２ｄ  連結板
８２ｅ  折返し板
８３  案内部
８３ａ  ガイド板
８４  弾性部材
８５  止具
９０  錠前
９１  シリンダー
９２  固定板
９３  止め爪
【図１】
2017192877.tif 000003
【図２】
2017192877.tif 000004
【図３】
2017192877.tif 000005
【図４】
2017192877.tif 000006
【図５】
2017192877.tif 000007
【図６】
2017192877.tif 000008
【図７】
2017192877.tif 000009